(57)【要約】モールド体を形成するための、別個の構成要素の必要性を削除する、一体型で単一のオーバーモールド絶縁体（５５）を有するパイロテクニック開始装置（１０）と、その作成方法。
2005502014.tif 000002
【特許請求の範囲】
【請求項１】
ａ）パイロテクニック火薬を装填した容器と、コネクタ端部を有するヘッダアセンブリとを含む開始装置サブアセンブリと、
ｂ）前記コネクタ端部の露出部分を除いて、前記開始装置サブアセンブリのほぼ全てに接続され、且つそれを取り囲む、一体型で単一であり電気的に非導電性のモールド体と、
を備えることを特徴とするパイロテクニック開始装置。
【請求項２】
前記ヘッダアセンブリの前記コネクタ端部は、二本の電極ピンを備えることを特徴とする請求項１に記載の開始装置。
【請求項３】
前記電極ピンは前記モールド体から外側に突出していることを特徴とする請求項２に記載の開始装置。
【請求項４】
前記二本の電極ピンのうち一本はグランドピンであり、もう一本は同軸で孤立した電極ピンであることを特徴とする請求項３に記載の開始装置。
【請求項５】
前記モールド体及び前記電極ピンは、一緒に標準自動車エアバッグ開始装置コネクタの構成を形成することを特徴とする請求項４に記載の開始装置。
【請求項６】
前記容器は、第１直径を有する上部位と、該第１直径よりも大きな第２直径を有する下部位と、前記上部位及び下部位を連結するフレア状の中部位とを有することを特徴とする請求項１に記載の開始装置。
【請求項７】
前記モールド体はナイロンより作られることを特徴とする請求項１に記載の開始装置。
【請求項８】
ａ）パイロテクニック火薬を装填した容器と、コネクタ端部を有するヘッダアセンブリとを含む開始装置サブアセンブリを備える工程と、
ｂ）一体型で単一であり電気的に非導電性のモールド体を、前記コネクタ端部の露出部分を除いて、前記開始装置サブアセンブリのほぼ全てに接続され、且つそれを取り囲むように、前記サブアセンブリの周りに成形する工程と、
を備えることを特徴とするオーバーモールド体を有するパイロテクニック開始装置の作成方法。
【請求項９】
前記備える工程は、前記コネクタ端部が二本の電極ピンを備えている開始装置サブアセンブリを備えることを含む請求項８に記載の方法。
【請求項１０】
前記備える工程は、グランドピン及び同軸で孤立した電極ピンを含む開始装置サブアセンブリを備えることを含む請求項９に記載の方法。
【請求項１１】
前記成形する工程は、前記電極ピンの夫々の露出部分が前記モールド体から外側に突出するように、前記モールド体を成形することを含む請求項９に記載の方法。
【請求項１２】
前記成形する工程は、前記開始装置サブアセンブリが配置された型に、溶融材料を射出することを含む請求項９に記載の方法。
【請求項１３】
前記成形する工程は、高圧下で、前記型に溶融材料を射出することを含む請求項１２に記載の方法。
【請求項１４】
前記備える工程は、上部位を有する開始装置サブアセンブリを備えることを含む請求項１２に記載の方法。
【請求項１５】
前記成形する工程は、前記開始装置サブアセンブリの前記上部位に向けて前記溶融材料を射出し、該溶融材料が前記サブアセンブリに沿って下方に流れるのを可能にすることを含む請求項１４に記載の方法。
【請求項１６】
前記成形する工程は、高圧下で、前記型に前記溶融材料を射出することを含む請求項１５に記載の方法。
【請求項１７】
前記備える工程は、前記容器が、第１直径を有する上部位と、該第１直径よりも大きな第２直径を有する下部位と、前記容器の前記上部位及び下部位を連結するフレア状の中部位とを有する開始装置サブアセンブリを備えることを含む請求項１５に記載の方法。
【請求項１８】
前記備える工程は、グランドピン及び同軸で孤立した電極ピンを含む開始装置サブアセンブリを備えることを含む請求項１７に記載の方法。
【請求項１９】
前記成形する工程は、溶融ナイロンを射出することを含む請求項８に記載の方法。
【請求項２０】
前記備える工程は、前記容器は、密に且つほぼ完全に前記パイロテクニック火薬を装填している開始装置サブアセンブリを備えることを含む請求項１３に記載の方法。
【発明の詳細な説明】
【技術分野】
【０００１】
本発明は、成形の分野、特に、一体型で単一のオーバーモールド体を有するパイロテクニック開始装置（ｐｙｒｏｔｅｃｈｎｉｃ  ｉｎｉｔｉａｔｏｒ）に関する。
【背景技術】
【０００２】
パイロテクニック開始装置は、産業用及び民生用で多くの用途がある。重要な用途の一つは、自動車のエアバック膨張を引き起こす際の用途である。信頼性の高いエアバッグ開始装置の製造コストを削減するために、自動車業界では著しい努力がなされてきた。一つの前進は、開始装置の構成要素の周りに絶縁体を成形してきたことである。信頼性の高い開始装置の製造コストを更に削減する必要性が大きく残されているが、これまでは、一体型で単一のオーバーモールド体を開始装置に備えることは一度もなかった。
【発明の開示】
【課題を解決するための手段】
【０００３】
本発明によれば、一体型で単一のオーバーモールド体を含むパイロテクニック開始装置が提供され、該オーバーモールド体を形成するための、別個の絶縁カップ等の、別個の構成要素の必要性が削除される。
【発明を実施するための最良の形態】
【０００４】
図を参照すると、本発明に基づく開始装置１０の好適な実施例は、一体型で単一のオーバーモールド体５５により囲まれた開始装置サブアセンブリから構成される。
【０００５】
前述の実施例では、開始装置サブアセンブリは、出力パイロテクニック火薬（ｏｕｔｐｕｔ  ｐｙｒｏｔｅｃｈｎｉｃ  ｃｈａｒｇｅ）８２を装填した容器６５に、（スルーウェルド（ｔｈｒｏｕｇｈ−ｗｅｌｄ）６１により）密閉状に取付けられたヘッダアセンブリ２０を備える。次にヘッダアセンブリ２０は、同軸ヘッダ、該ヘッダに溶接されたブリッジワイヤ７０、及びブリッジワイヤ７０の周りに置かれる点火パイロテクニック火薬滴８０から構成されている。同軸ヘッダは、グランドピン３０、同軸で孤立した（ｉｓｏｌａｔｅｄ）センターピン４０、ガラス５０、及びアイレット６０を備えており、ピン３０及び４０は突出して開始装置サブアセンブリのコネクタ末端を形成している。開始装置サブアセンブリにおけるこの特定の典型的構成が、詳細に示されて記述されているが、本発明では、開始装置サブアセンブリの各種構成が使用可能であり、又は使用のために適切に変更可能である。
【０００６】
本発明によれば、図に示されているように、モールド体５５を適当な開始装置サブアセンブリ上に成形する。モールド体５５を成形するために、その他の成形又は形成方法が使用されてよいが、インサート射出成形が好ましい。その方法では、開始装置サブアセンブリを適当な位置に保持する手段と、モールド体５５の外部表面を定める形状の空洞（ｃａｖｉｔｙ）と、ピン３０及び４０用の開口部と、空洞へ入り込んだ一又は複数の鋳込口（ｐｏｒｔｓ）とを含む成形ツールに、開始装置サブアセンブリを挿入する。次に、適切な溶融ポリマー、好ましくはナイロンを、一（又は複数）の鋳込口を通して空洞内へ、開始装置サブアセンブリの周りに射出する。一又は複数の射出鋳込口は、モールド体５５の上部位５６の近くに位置してよく、従って、射出された溶融材料は下方に流れる。或いは、溶融材料は、例えばモールド体５５の「双円錐」部位５７のような、他のところに射出されてよいが、この場合はピン３０及び４０を成形ツール内によりしっかりと締め付けておく必要があろう。次に溶融ポリマーを冷却、硬化させてモールド体５５を形成し、型を開き、完成した開始装置を取り外す。
【０００７】
いずれにせよ、モールド体５５の上部位５６における壁面の断面厚さ（これは開始装置サブアセンブリの外側と、型で定められる空洞との間で作られる）は、溶融材料が射出中に適度に流れることができる程度十分厚くあるべきである。開始装置の全外径は、顧客の仕様書に従っていなければならず、任意に増大させることができないので、前述の構成における容器６５の上部を狭めて、対応するモールド体５５の上部位５６における壁面厚さの増大を可能とする。この特定の開始装置サブアセンブリのヘッダアセンブリは、容器６５の上部位よりも直径が大きいままであるが、円周方向のフレア６６が容器６５の底部に向かって備わっているので、容器６５の下部はヘッダを収容する。
【０００８】
射出成形は一般的にはやや高圧下で行われるので、容器がその圧力下でつぶれる可能性を最小限にするために、容器６５の壁面は適切な強度の材料で作られるべきであり、また十分な断面の厚さを有するべきであることに留意すべきである。この可能性は、容器に出力火薬８２を十分詰めて、圧縮に対する容器の強度を増強することにより、更に避けることが可能である。
【０００９】
モールド体５５は、好ましくは非導電性であるので、迷走電流がピン３０及び４０以外の任意の経路により開始装置中を流れることを抑制し、よって開始装置の予想外の点火に対する付加的防御を与えることになる。結果としてモールド体５５は、好ましくはモールド体５５の端部５８を越えて突出するピン３０及び４０の露出した端部を除いて、開始装置サブアセンブリのほぼ全てを覆っているべきである。しかしながら、端部５８は更に伸ばしてよく、これに加えて、「雌（ｆｅｍａｌｅ）の」構成が必要であり、或いは端部５８を伸ばさなくとも当該「雌（ｆｅｍａｌｅ）の」構成が必要である場合には、ピン３０及び４０の露出した端部はモールド体５５内の奥まったところに（好ましくはピンの端部にいくらか変更を加えて）配置可能である。
【００１０】
モールド体５５はまた、開始装置を構造的に支え、その外部形状を定める。具体的には、モールド体５５、特にその端部５８は、好ましくは、ピン３０及び４０の露出した端部に接合するように形成された外部コネクタに対するガイドとして働く。よって、モールド体５５を、好ましくは、ＡＭＰＨＥＮＯＬ（登録商標）適合コネクタ等の標準車両用コネクタ、或いは、有用又は非有用な一体型コネクタと適合するように成形する。
【００１１】
以上、パイロテクニック開始装置用オーバーモールド体の好適な実施例、及びそれに付随する利点の多くを開示した。しかしながら、本発明の思想及び範囲から逸脱することなく、構成要素の形態、構成及び配置において各種の変更が可能であり、また上述の形態とは、単に好適な又は典型的な実施例であることは明白であろう。従って、本発明は、次の特許請求の範囲に基づく場合を除いて、制限又は限定されるべきではない。
【図面の簡単な説明】
【００１２】
【図１】本発明の実施例における横断面図である。
【符号の説明】
【００１３】
１０      開始装置
２０      ヘッダアセンブリ
３０      グランドピン
４０      センターピン
５０      ガラス
５５      モールド体
６０      アイレット
６５      容器
６６      フレア
７０      ブリッジワイヤ
８０      点火パイロテクニック火薬滴
８２      パイロテクニック火薬
【図１】
2005502014.tif 000003
【国際公開パンフレット】
2005502014.tif 000004
2005502014.tif 000005
2005502014.tif 000006
2005502014.tif 000007
2005502014.tif 000008
2005502014.tif 000009
2005502014.tif 000010
2005502014.tif 000011
2005502014.tif 000012
2005502014.tif 000013
2005502014.tif 000014
【国際公開パンフレット（コレクトバージョン）】
2005502014.tif 000015
2005502014.tif 000016
【国際調査報告】
2005502014.tif 000017
2005502014.tif 000018